(57)【要約】【課題】  従来の回転により節度感を得るようにしたランプソケットは、ランプピンをランプピンの挿入位置から装着位置に回転する際、ランプピンが回転子の正規の取付け位置からずれ易く、このためランプピンと接触金具との接触が不安定となるという問題があった。【解決手段】  本発明のランプソケットは、ランプピン５ａの装着部を回転子２の受け部２ｂの切欠き部２ｃで形成し、また、受け部２ｂに凸部２ｄを有する回転子２が、凹部１ｃを有する案内リブ１ｄに案内され回転するとき、ランプピン５ａの挿入位置から装着位置に回転する場合は、切欠き部２ｆの切欠き幅を狭める押圧が働き、また、ランプピン５ａの挿入位置（脱着位置）及び装着位置においては、凸部２ｄが凹部１ｃに嵌合され、押圧が解放される。【選択図】図６
2006185787.tif 000002
【特許請求の範囲】
【請求項１】
直管ランプの口金部が当接する前面に円形開口部を有するソケット本体と、該ソケット本体の背面側に取付けたカバーと、前記ソケット本体と前記カバーとで形成した略箱体の内部に収容した回転子及び一対の導電金具とを備えたランプソケットであって、
前記回転子は、略円板状の受け部と、この受け部から立設する円筒部とを有し、また、前記受け部から前記円筒部の途中まで、前記回転子を二分するように切欠く、ランプピンのピン径より所定量大きな幅の切欠き部が形成され、該切欠き部のうち前記受け部の切欠き部をランプピンの装着部とするとともに、前記受け部の円周に沿って前記切欠き部から９０度の位置に前記受け部の外周部から径方向の外側に突設する一対の凸部が形成され、
前記ソケット本体は、前面の前記円形開口部の外周の一部に連通して前記ソケット本体の側面にランプピンを挿入するランプピン挿入用開口部が形成され、また、前記円形開口部を形成する前面板の内部側に、前記回転子が回転時に前記受け部の外周部を案内し、かつ、前記回転子の凸部を押圧することにより前記切欠き部の幅が狭まるように押圧する案内リブが形成され、さらに、この案内リブには、円周に沿って前記ランプピン挿入用開口部から９０度、１８０度、２７０度の位置に内側に凹形状で、前記回転子の前記凸部が嵌合されることにより、前記押圧が解放される凹部が径方向の外側に形成され、
前記導電金具は、前記回転子の前記円筒部の両側に弾接状態に配置され、
前記ソケット本体の前記ランプピン挿入用開口部と前記回転子の前記ランプピンの装着部とを一致させ、ランプピンを前記ランプピン挿入用開口部から前記回転子の前記ランプピンの装着部に挿入し、このランプピンの挿入位置から前記回転子を９０度回転し、このランプピンの装着位置でランプピンが前記導電金具に接触し、直管ランプが装着されることを特徴とするランプソケット。
【請求項２】
前記ソケット本体のランプピン挿入用開口部の開口幅と、前記ソケット本体の前記案内リブの前記凹部の開口幅とをほぼ同じとしたことを特徴とする請求項１に記載のランプソケット。
【請求項３】
前記回転子の前記円筒部の内部側に前記回転子の前記押圧による弾性変形を制御する弾性変形制御リブを前記カバーの背面板から立設したことを特徴とする請求項１又は請求項２に記載のランプソケット。
【請求項４】
請求項１に記載のランプソケットと、前記ランプソケットが搭載される照明器具本体と、前記ランプソケットに装着される直管ランプと、前記ランプソケットを介して前記直管ランプを点灯させる点灯装置とを備えたことを特徴とする照明器具。
【発明の詳細な説明】
【技術分野】
【０００１】
本発明は、直管ランプ用のランプソケット及びこのランプソケットを搭載した照明器具に関するものであり、特に直管ランプの装着及び脱着時に直管ランプを回転子と共に回転する際に節度感（クリック感）を得る回転式のランプソケットに関するものである。
【背景技術】
【０００２】
従来の直管ランプ用のランプソケットで、ランプ着脱時に節度感（クリック感）をもたせたものとしては、ボデイとカバーとで作られるソケット本体に回転子を内蔵し、この回転子の円筒部の後端部が嵌合するカバーの内面の円形状リブに、略９０度毎に節度用凹部を形成し、また、回転子の後端部の外周に略１８０度隔てて一対の節度用凸部を突設し、これら凸部を節度用凹部に係脱させて回転子が略９０度回転毎に節度感を得るようにしたものがある（例えば、特許文献１参照）。
また、ソケット本体と回転子とを備え、回転子の壁部に略９０度間隔でランプピン挿通溝と３箇所の切欠状の係合凹部とを設け、また、ソケット本体に、回転子の回転によりランプピン挿通溝及び係合凹部に嵌る係合凸部を設けたものがある（例えば、特許文献２参照）。
また、導電ばねはランプピンの装着位置でランプピンに係合凹部を有し、回転子は外周が導電ばねに弾接する略円柱形であり、ランプピン案内凹部がランプピン挿通溝に連なったときに凹部と係合する凸部を有し、かつ凸部が凹部と係合した状態で導電ばねの凹部以外の部分が回転子に接触しないように凸部の両側部分に凹みを形成したものがある（例えば、特許文献３参照）。
【特許文献１】特開２００１−３５１７５３号公報（第５頁、第６頁、図２、図３、図８）
【特許文献２】特開平１１−３４５６６３号公報（第３頁、第４頁、図１、図３）
【特許文献３】特開２００２−１００４５０号公報（第３頁〜第５頁、図１、図３、図４）
【発明の開示】
【発明が解決しようとする課題】
【０００３】
上記従来のランプソケットは、確かにランプの回転による節度感は得られるが、ランプピンをランプピンの挿入位置から装着位置に回転する際、ランプピンが回転子の正規の取付け位置からずれ易く、このためランプピンと接触金具との接触が不安定となるという問題があった。
【０００４】
本発明は、上記のような課題を解決するためになされたもので、直管ランプを回転し、装着、脱着時に回転による節度感の得られるランプソケットであり、ランプピンをランプピンの挿入位置から装着位置（若しくはその逆）に回転する際、ランプピンが回転子の正規の取付け位置からずれることがなく、装着位置でランプピンと接触金具との接触が安定するランプソケットを得ることを目的とする。
また、回転による節度感のあるランプソケットであり、ランプピンの挿入及び取外しが容易なランプソケットを得ることを目的とする。
また、このようなランプソケットを搭載したランプソケット特性の優れた照明器具を得ることを目的とする。
【課題を解決するための手段】
【０００５】
本発明のランプソケットは、ソケット本体と、カバーと、ソケット本体とカバーとで形成した略箱体の内部に収容した回転子及び一対の導電金具とを備えたランプソケットであって、
回転子は、ソケット本体の円形開口部より大きい略円板状の受け部と、この受け部から立設する円筒部とを有し、また、受け部から円筒部の途中まで、回転子を二分するように切欠く、ランプピンのピン径より所定量大きな幅の切欠き部が形成され、該切欠き部のうち受け部の切欠き部をランプピンの装着部とするとともに、受け部の円周に沿って切欠き部から９０度の位置に受け部の外周部から径方向の外側に突設する一対の凸部が形成され、
ソケット本体は、前面の円形開口部の外周の一部に連通してソケット本体の側面にランプピンを挿入するランプピン挿入用開口部が形成され、また、円形開口部を形成する前面板の内部側に、回転子が回転時に受け部の外周部を案内し、かつ、回転子の凸部を押圧することにより切欠き部の幅が狭まるように押圧する案内リブが形成され、さらに、この案内リブには、円周に沿ってランプピン挿入用開口部から９０度、１８０度、２７０度の位置に内側に凹形状で、回転子の凸部が嵌合されることにより、押圧が解放される凹部が径方向の外側に形成され、
導電金具は、回転子の円筒部の両側に弾接状態に配置され、
ソケット本体のランプピン挿入用開口部と回転子のランプピンの装着部とを一致させ、ランプピンをランプピン挿入用開口部から回転子のランプピンの装着部に挿入し、このランプピンの挿入位置から回転子を９０度回転し、このランプピンの装着位置でランプピンが導電金具に接触し、直管ランプが装着されるものである。
【発明の効果】
【０００６】
本発明のランプソケットは、回転子の受け部の切欠き部をランプピンを装着するランプピンの装着部とし、ランプピンの挿入位置からランプピンの装着位置（若しくはその逆）までの回転中は、回転子の受け部の切欠き部からなるランプピンの装着部は、凸部が案内リブから押圧され、切欠き部の幅が狭まり、ランプピンが保持され、ランプピンは回転方向にずれを生じないので、ランプピンの装着位置でランプピンが回転子の正規の取付け位置からずれることがなく、ランプピンと接触金具との接触が安定する。
また、回転子がランプピンの挿入位置にあるときは、回転子の凸部が案内リブの凹部に嵌合されているので、押圧が解放され、回転子の受け部の切欠き部の切欠き部の幅がランプピンのピン径より所定量大きい幅となり、ランプピンの挿入、取り外しが容易となる。
また、回転子を回転させている間は、凸部が案内リブから押圧され、ランプピンの挿入位置またはランプピンの装置位置まで回転子を回転させると、押圧が解放され節度感が得られるので、それぞれの位置にきたことを認識できる。
【発明を実施するための最良の形態】
【０００７】
実施の形態１．
図１は、実施の形態１のランプソケットを示す分解斜視図であり、図２は、同じくランプソケットを示す正面図であり、図３は、直管ランプのランプピンを挿入した図２のランプソケットのＢ−Ｂ線断面図であり、図４は、直管ランプのランプピンを装着した図２のランプソケットのＣ−Ｃ線断面図であり、図５は、実施の形態１のランプソケットのカバーを外し、裏面側から見た図であり、図６は、同じくランプソケットの直管ランプのランプピンを挿入した回転子の回転状態を示す説明図であり、（ａ）〜（ｃ）が凸部と凹部との嵌合を回転９０度毎に行う本ランプソケットの場合であり、（ｄ）〜（ｆ）が凸部と凹部とがない場合であり、（ａ）、（ｄ）が直管ランプを挿入、取外すランプピンの挿入位置（取外し位置）、（ｂ）、（ｅ）が４５度回転時、（ｃ）、（ｆ）が直管ランプを挿着するランプピンの装着位置を示す。
【０００８】
本ランプソケットは、直管ランプのランプピンの挿入側である前面に円形開口部を有するソケット本体１の背面側をカバー４で塞いだ略箱体の内部に回転子２及び一対の導電金具３等を収容したものである。
ソケット本体１は、前面側に円形状の円形開口部１ａを有し、背面側が開口した略箱体状のもので、前面側から見て円形開口部１ａの外周の一部に連通してソケット本体１の側面に開口する略矩形状の開口部で、ピン挿入口であるランプピン挿入用開口部１ｂを有し、この開口部からほぼ同断面形状で、下方が開口した溝状体がソケット本体１内を背面方向に形成されている。
また、円形開口部１ａを形成する前面板の裏面からは、円形開口部を中心とし、ランプピン挿入用開口部１ｂに合わせて円形のリブが立設され、回転子２の後述する受け部２ｂの前面を前面板の裏面に当接し、この円形リブにより回転子２の受け部２ｂの外周部を囲い、回転子２を回転するときの案内リブ１ｄ（位置決めリブ）とする。また、この案内リブ１ｄのランプピン挿入用開口部１ｂの位置から円周に沿って、９０度、１８０度、２７０度の位置に径方向内側に凹状の凹部１ｃが径方向外側に形成されている。
ここで、ランプピン挿入用開口部１ｂの開口幅と案内リブ１ｄの凹部１ｃの開口幅とをほぼ同じとする。これにより、ランプピン挿入用開口部１ｂを案内リブ１ｄの凹部１ｃ兼用とでき、着脱操作の節度感も同等にできる。
また、ソケット本体１の下部には、導電金具３の取付部、リード線挿入口等が形成されている。
【０００９】
回転子２は、後部の円筒部２ａとこの円筒部を立設するソケット本体１の前面の円形開口部１ａより大きな略円形の板状体である受け部２ｂとからなり、また、回転子２を二分するように、受け部２ｂの外周側から円筒部２ａの途中までを連続して切欠く切欠き部２ｆを受け部２ｂの円周の１８０度の角度をなす位置に対向して形成している。この切欠き部２ｆの受け部２ｂの部分がランプピン５ａを装着するランプピンの装着部２ｃである。さらに、受け部２ｂのランプピンの装着部２ｃから受け部２ｂの円周に沿っての９０度の位置に外周部から径方向外側に突出する凸部２ｄを対向させ一対形成している。
回転子２は、樹脂製であり、両突部２ｄ側からの押圧により切欠き部の幅が狭まり弾性変形可能である。
【００１０】
導電金具３は、下部にリード線の係止部を有する上下に長形の導電性のある板バネ製の板状体であり、上部近傍に凹部が形成され、この凹部をランプピンに接触し給電する給電部とする。導電金具３は、一対組合せてこの凹部同士が向き合うようし設置され、回転子２の円筒部２ａに両側から弾性的に接触する。
カバー４は、ソケット本体１の背面の開口を塞ぐ板状体であり、板状体の内面から一対の弾性変形制御リブ４ａが立設している。この弾性変形制御リブ４ａは、本ランプソケットを組立てたとき、回転子２の円筒部２ａに後部から挿入され、円筒部２ａの内面から所定の距離（主として許容変形量を定める）を持つような位置関係となっている。２本以上でも、円筒状等でも良い。
【００１１】
次に、本ランプソケットの組立の概略を説明する。
回転子２の受け部２ｂをソケット本体１の円形開口部１ａの周りの前面板の裏面の案内リブ１ｂ内で前面板の裏面に当接させ、受け部２ｂを案内リブ１ｄに嵌め込む。このとき、回転子２の凸部２ｄを案内リブ１ｄの凹部１ｃに収納させ、回転子２のピン挿入溝であるランプピンの装着部２ｃをソケット本体１のランプピン挿入用開口部１ｂに合せる（ランプピンの装着部２ｃとランプピン挿入用開口部１ｂとを一直線上に揃える）。こうすれば、組立後のランプソケットに直ちに直管ランプ５のランプピン５ａを挿入できる。
次いで、一対の導電金具３を給電部である凹部が向き合うようにソケット本体１の下部の取付部に取付け、回転子２の円筒部２ａに弾接するようにする。
それから、リード線をソケット本体１の下部の挿入穴から挿入し、導電金具３の下部の取付部に取付ける。
そして、ソケット本体１の背面側にカバー４を取付ける。
このようにして、一方向に順次組立てるので、本ソケットの組立は容易である。
【００１２】
次いで、本ランプソケットに蛍光灯のような直管ランプ５を装着する場合及び取外す場合を説明する。
装着時には、直管ランプ５の口金部のランプピン５ａをソケット本体１のランプピン挿入用開口部１ｂと円形開口部１ａに挿入し、回転子２の受け部２ｂのピン挿入溝であるランプピンの装着部２ｃにスライドさせて挿入する（図３、図６（ａ）参照）。この際、通常は図２、図５に示すように、前回の取外し状態になっているため、回転子２はランプピンの装着部２ｃがランプピン挿入用開口部１ｂと一致する位置（ランプピンの挿入位置）にあり、そこで、回転子２の受け部２ｂの凸部２ｄは案内リブ１ｄの形成する凹部１ｃに収納されている。このように受け部２ｂの凸部２ｄが凹部１ｃに嵌合しているときは、回転子２の受け部２ｂは押圧を受けない寸法関係となっているので回転子２は変形することなく、また、図３に示すように、ランプピンの装着部２ｃの幅Ｗは、ランプピン５ａの外径φより所定量大きくしているので、挿入が容易である。
【００１３】
次に、直管ランプ５を回転させる。直管ランプ５が回転することで回転子２が回転し、案内リブ１ｄの形成する凹部１ｃに収納されている回転子２の受け部２ｂの凸部２ｄが凹部１ｃから抜ける。そこで、図４、図６（ｂ）に示すように、回転子２の凸部２ｄは、ソケット本体１の案内リブ１ｄに押され、回転子２は切欠き部２ｆにより弾性変形し、回転子２の側壁部２ｅの間隙が狭まり、ランプピンの装着部２ｃはその幅を狭めるように押される。従って、ランプピン５ａは、受け部２ｂのランプピン装着部２ｃの端部で固定され、回転子２の回転方向に対するずれが少なくなる（これに対して、図６（ｅ）のように回転子２の凸部２ｄがなく、押圧によりランプピンの装着部２ｃが、狭められない場合は、回転方向のずれが生じる）。
【００１４】
回転を進め、初めのランプピンの挿入位置から９０度回転すると、図６（ｃ）に示すように、ランプピン５ａが導電金具３の電極部である凹部に達するとともに、回転子２の凸部２ｄがソケット本体１の上下の凹部、即ち、上部のランプピン挿入用開口部１ｂ及び下部の案内リブ１ｄの凹部１ｃに収納される。このとき、回転子２の凸部２ｄは、案内リブ１ｄからの押圧から解放されるので節度感が得られる。そこで、直管ランプ５を装着位置（ランプピンの装着位置）まで回転させたことを認識できる。このように、直管ランプ５を回転中は、回転子２の受け部２ｂのランプピンの装着部２ｃの端部でランプピン５ａを挟み固定するので、ランプピン５ａを誤差が少なくランプピンの装着位置まで直管ランプ５を回転することができる。
【００１５】
直管ランプ５を取外す場合は、ランプピンの装着位置から直管ランプ５を９０度回転して、ランプの挿入位置、即ち、この場合はランプの脱着位置（図３、図６（ａ）参照）に戻すことにより、回転子２のランプピンの装着部２ｃの幅が広がり、節度感が得られるとともに、ランプピン５ａの取外しが容易となる。
【００１６】
本ランプソケットの案内リブ１ｄは、ソケット本体１の前面板の裏面から立設する円形リブの代わりに、前面板の裏側に（内部側に）回転子２の受け部２ｂの外周部を収容する同じく凹部１ｃを有する溝部を形成し回転を案内しても良い。
また、本ランプソケットは、ソケット本体１を板状とし、カバー４を箱状とし、部品は適宜それぞれに備え付けるようにしてもよい。
なお、本ランプソケットの回転子２の前後方向の移動は、図３、図４に示すように、ソケット本体の前面板及びカバー４の背面板により規制されている。
【００１７】
本ランプソケットは、ソケット本体１のランプピン挿入用開口部１ｂの開口幅と、ソケット本体１の案内リブ１ｄの凹部１ｃの開口幅とをほぼ同じとしたので、ランプピン挿入用開口部１ｂを案内リブ１ｄの凹部１ｃ兼用にでき、また、着脱操作で同等の節度感にすることができ、信頼性のあるランプソケットとすることができる。
また、凸部２ｄが案内リブ１ｄから押圧された押圧力により節度感を得ているため、ランプの着脱を繰返し行っても節度感があり、信頼性を高くできる。
【００１８】
また、本ランプソケットは、回転子２の円筒部２ａの内部側に回転子２の押圧による弾性変形を制御する弾性変形制御リブ４ａをカバーの背面板から立設したので、回転子２の切欠き部２ｆの側壁部２ｅを弾性変形制御可能とでき、適度な節度感に制御でき信頼性のあるソケットにすることができる。
【００１９】
また、図７に示すように、直管ランプ５を装着した本ランプソケットを照明器具（照明器具本体）に搭載することにより、直管ランプ５のランプ着脱性の信頼性の良い照明器具が得られる。なお、直管ランプ５を点灯させる点灯装置は、反射板の内側に設置されている。
【図面の簡単な説明】
【００２０】
【図１】本発明の実施の形態１のランプソケットを示す分解斜視図である。
【図２】本発明の実施の形態１のランプソケットを示す正面図である。
【図３】直管ランプのランプピンを装着した図２のランプソケットのＢ−Ｂ線断面図である。
【図４】直管ランプのランプピンを装着した図２のランプソケットのＣ−Ｃ線断面図である。
【図５】本発明の実施の形態１のランプソケットのカバーを外し、裏面側から見た図である。
【図６】本発明の実施の形態１のランプソケットの回転子等の回転状態を示す説明図である。
【図７】本発明の実施の形態１のランプソケットを取付け、直管ランプを装着した照明器具を示す斜視図である。
【符号の説明】
【００２１】
１  ソケット本体、１ａ  円形開口部、１ｂ  ランプピン挿入用開口部、１ｃ  凹部、１ｄ  案内リブ、２  回転子、２ａ  円筒部、２ｂ  受け部、２ｃ  ランプピンの装着部、２ｄ  凸部、２ｆ  切欠き部、３  導電金具、４  カバー、４ａ  弾性変形制御リブ、５  直管ランプ、５ａ  ランプピン。
【図１】
2006185787.tif 000003
【図２】
2006185787.tif 000004
【図３】
2006185787.tif 000005
【図４】
2006185787.tif 000006
【図５】
2006185787.tif 000007
【図６】
2006185787.tif 000008
【図７】
2006185787.tif 000009